【手続補正書】
【提出日】平成19年8月31日(2007.8.31)
【手続補正１】
【補正対象書類名】明細書
【補正対象項目名】特許請求の範囲
【補正方法】変更
【補正の内容】
【特許請求の範囲】
【請求項１】  電子写真感光体に形成された静電潜像を、現像剤を用いて現像する、画像形成装置本体に対して着脱自在な現像装置であって、少なくとも現像剤担持体と、現像剤を収納する容器と、現像剤を外部より補給するための補給開口を具備する現像装置において、
前記補給開口に対する封止位置と開放位置を移動可能な補給口シャッターと、
前記補給口シャッターを覆い、前記補給開口を露出させる開口を有する押さえ部材と、
前記押さえ部材に形成された開口に対する閉塞位置と開放位置を移動可能な補給口カバーと、
前記現像装置に回転中心を有し、前記補給口シャッター及び前記補給口カバーとの係合部位及び前記電子写真画像形成装置本体との係合部を有するカム部材であって、回転により前記補給口シャッター及び前記補給口カバーを連動して移動させるカム部材と、
を具備する現像装置。
【請求項２】  前記現像装置は、前記補給口シャッターと前記補給口カバーが互いに直交する方向に移動することを特徴とする請求項１に記載の現像装置。
【請求項３】  前記現像装置において、前記補給口シャッターは現像装置を電子写真画像形成装置本体に着脱させる方向に平行に移動し、前記補給口カバーは前記着脱させる方向とは異なる方向に移動することを特徴とする請求項１に記載の現像装置。
【請求項４】  前記現像装置は、前記カム部材の回転を阻止する係合部と、前記カム部材の係合を解除するための解除部を有するロック部材を具備する事を特徴とする請求項１から３の何れか１つに記載の現像装置。
【請求項５】  前記現像装置は、前記カム部材の回転に連動し、封止位置と開放位置に移動可能な露光開口シャッターを具備する事を特徴とする請求項１から４の何れか１つに記載の現像装置。
【請求項６】  電子写真感光体に形成された静電潜像を、現像剤を用いて現像し顕像化する、電子写真画像形成装置本体に対して着脱自在なプロセスカートリッジであって、少なくとも像担持体と、帯電手段と、現像剤担持体と、現像剤を収納する容器と、現像剤を外部より補給するための補給開口を具備するプロセスカートリッジにおいて、
前記補給開口に対する封止位置と開放位置を移動可能な補給口シャッターと、
前記補給口シャッターを覆い、前記補給開口を露出させる開口を有する押さえ部材と、
前記押さえ部材に形成された開口に対する閉塞位置と開放位置を移動可能な補給口カバーと、
前記プロセスカートリッジに回転中心を有し、前記補給口シャッター及び前記補給口カバーとの係合部位及び電子写真画像形成装置本体との係合部を有するカム部材であって、回転により前記補給口シャッター及び前記補給口カバーを連動して移動させるカム部材と、
を具備するプロセスカートリッジ。
【請求項７】  前記プロセスカートリッジは、前記補給口シャッターと前記補給口カバーが互いに直交する方向に移動することを特徴とする請求項６に記載のプロセスカートリッジ。
【請求項８】  前記現像装置において、前記補給口シャッターは現像装置を電子写真画像形成装置本体に着脱させる方向に平行に移動し、前記補給口カバーは前記着脱させるとは異なる方向に移動することを特徴とする請求項６に記載のプロセスカートリッジ。
【請求項９】  前記プロセスカートリッジは、前記カム部材の回転を阻止する係合部と、前記カム部材の係合を解除するための解除部を有するロック部材を具備する事を特徴とする請求項６から８の何れか１つに記載のプロセスカートリッジ。
【請求項１０】  前記プロセスカートリッジは、前記カム部材の回転に連動し、封止位置と開放位置に移動可能な露光開口シャッターを具備する事を特徴とする請求項６から９の何れか１つに記載のプロセスカートリッジ。
【請求項１１】  電子写真感光体に形成された静電潜像を、現像剤を用いて現像し顕像化する電子写真画像形成装置であって、少なくとも像担持体と、帯電手段と、現像剤担持体及び現像剤を収納する容器及び現像剤を外部より補給するための補給開口を具備する現像ユニットを、これらを一体的なカートリッジとして、若しくは少なくとも現像ユニットを着脱できるように具備した電子写真画像形成装置において、
前記補給開口に対する封止位置と開放位置を移動可能な補給口シャッターと、
前記補給口シャッターを覆い、前記補給開口を露出させる開口を有する押さえ部材と、
前記押さえ部材に形成された開口に対する閉塞位置と開放位置を移動可能な補給口カバーと、
回転中心を有し、前記補給口シャッター及び前記補給口カバーとの係合部位及び装置本体との係合部を有するカム部材であって、回転により前記補給口シャッター及び前記補給口カバーを連動して移動させるカム部材とを具備し、
前記電子写真画像形成装置の本体には、前記カートリッジ若しくは現像ユニットの挿入経路上に形成されたピンを具備し、
前記カートリッジ若しくは現像ユニットの挿入によって前記ピンと前記カム部材の係合部が係合し、前記補給口シャッター及び前記補給口カバーを開閉する事を特徴とする電子写真画像形成装置。
【請求項１２】  前記電子写真画像形成装置は、前記補給口シャッターと前記補給口カバーが互いに直交する方向に移動することを特徴とする請求項１１に記載の電子写真画像形成装置。
【請求項１３】  前記電子写真画像形成装置は、前記カム部材の回転を阻止する係合部と、前記カム部材の係合を解除するための解除部を有するロック部材を具備する事を特徴とする請求項１１又は１２に記載の電子写真画像形成装置。
【請求項１４】  前記電子写真画像形成装置は、前記カム部材の回転に連動し、封止位置と開放位置に移動可能な露光開口シャッターを具備する事を特徴とする請求項１１から１３の何れか１つに記載の電子写真画像形成装置。
【手続補正２】
【補正対象書類名】明細書
【補正対象項目名】００１３
【補正方法】変更
【補正の内容】
【００１３】
【課題を解決するための手段】
上記目的を達成するために、本発明に係る現像装置は、電子写真感光体に形成された静電潜像を、現像剤を用いて現像する、画像形成装置本体に対して着脱自在な現像装置であって、少なくとも現像剤担持体と、現像剤を収納する容器と、現像剤を外部より補給するための補給開口を具備する現像装置において、前記補給開口に対する封止位置と開放位置を移動可能な補給口シャッターと、前記補給口シャッターを覆い、前記補給開口を露出させる開口を有する押さえ部材と、前記押さえ部材に形成された開口に対する閉塞位置と開放位置を移動可能な補給口カバーと、前記現像装置に回転中心を有し、前記補給口シャッター及び前記補給口カバーとの係合部位及び前記電子写真画像形成装置本体との係合部を有するカム部材であって、回転により前記補給口シャッター及び前記補給口カバーを連動して移動させるカム部材と、を具備するものである。
【手続補正３】
【補正対象書類名】明細書
【補正対象項目名】００１４
【補正方法】削除
【補正の内容】
【手続補正４】
【補正対象書類名】明細書
【補正対象項目名】００１５
【補正方法】削除
【補正の内容】
【手続補正５】
【補正対象書類名】明細書
【補正対象項目名】００１６
【補正方法】削除
【補正の内容】
【手続補正６】
【補正対象書類名】明細書
【補正対象項目名】００１７
【補正方法】削除
【補正の内容】
【手続補正７】
【補正対象書類名】明細書
【補正対象項目名】００１８
【補正方法】変更
【補正の内容】
【００１８】
また、上記目的を達成するために、本発明に係るプロセスカートリッジは、電子写真感光体に形成された静電潜像を、現像剤を用いて現像し顕像化する、電子写真画像形成装置本体に対して着脱自在なプロセスカートリッジであって、少なくとも像担持体と、帯電手段と、現像剤担持体と、現像剤を収納する容器と、現像剤を外部より補給するための補給開口を具備するプロセスカートリッジにおいて、前記補給開口に対する封止位置と開放位置を移動可能な補給口シャッターと、前記補給口シャッターを覆い、前記補給開口を露出させる開口を有する押さえ部材と、前記押さえ部材に形成された開口に対する閉塞位置と開放位置を移動可能な補給口カバーと、前記プロセスカートリッジに回転中心を有し、前記補給口シャッター及び前記補給口カバーとの係合部位及び電子写真画像形成装置本体との係合部を有するカム部材であって、回転により前記補給口シャッター及び前記補給口カバーを連動して移動させるカム部材と、を具備することを特徴とするものである。
【手続補正８】
【補正対象書類名】明細書
【補正対象項目名】００１９
【補正方法】削除
【補正の内容】
【手続補正９】
【補正対象書類名】明細書
【補正対象項目名】００２０
【補正方法】削除
【補正の内容】
【手続補正１０】
【補正対象書類名】明細書
【補正対象項目名】００２１
【補正方法】削除
【補正の内容】
【手続補正１１】
【補正対象書類名】明細書
【補正対象項目名】００２２
【補正方法】削除
【補正の内容】
【手続補正１２】
【補正対象書類名】明細書
【補正対象項目名】００２３
【補正方法】変更
【補正の内容】
【００２３】
また、上記目的を達成するために、本発明に係る電子写真画像形成装置は、電子写真感光体に形成された静電潜像を、現像剤を用いて現像し顕像化する電子写真画像形成装置であって、少なくとも像担持体と、帯電手段と、現像剤担持体及び現像剤を収納する容器及び現像剤を外部より補給するための補給開口を具備する現像ユニットを、これらを一体的なカートリッジとして、若しくは少なくとも現像ユニットを着脱できるように具備した電子写真画像形成装置において、前記補給開口に対する封止位置と開放位置を移動可能な補給口シャッターと、前記補給口シャッターを覆い、前記補給開口を露出させる開口を有する押さえ部材と、前記押さえ部材に形成された開口に対する閉塞位置と開放位置を移動可能な補給口カバーと、回転中心を有し、前記補給口シャッター及び前記補給口カバーとの係合部位及び装置本体との係合部を有するカム部材であって、回転により前記補給口シャッター及び前記補給口カバーを連動して移動させるカム部材とを具備し、前記電子写真画像形成装置の本体には、前記カートリッジ若しくは現像ユニットの挿入経路上に形成されたピンを具備し、前記カートリッジ若しくは現像ユニットの挿入によって前記ピンと前記カム部材の係合部が係合し、前記補給口シャッター及び前記補給口カバーを開閉する事を特徴とするものである。
【手続補正１３】
【補正対象書類名】明細書
【補正対象項目名】００２４
【補正方法】削除
【補正の内容】
【手続補正１４】
【補正対象書類名】明細書
【補正対象項目名】００２５
【補正方法】削除
【補正の内容】
【手続補正１５】
【補正対象書類名】明細書
【補正対象項目名】００２６
【補正方法】削除
【補正の内容】